(57)【特許請求の範囲】
【請求項１】
熱媒体の流路となる熱媒体管と、該熱媒体管が配設される配管用凹溝を上方側に向けて開口するように上面側に設けた略矩形平板状の基材と、を備えた床暖房パネルであって、
前記基材の上面側の隅部には、隣接する床暖房パネルの熱媒体管同士を接続する接続部の収納凹所が前記配管用凹溝に連通するようにかつ上方側に向けて開口するように設けられており、
この基材の隅部の両二辺に、隣り合う二側端部をそれぞれ沿わせるようにして、前記収納凹所を覆うとともに、残余の二側端部のうちの一方の側端部が前記基材の上面側に対して連結部材を介して回動自在に連結された略矩形平板状のカバー体と、
該カバー体の上面を含んで前記基材の上面側を覆うとともに、前記カバー体の残余の二側端部のうちの他方の側端部に沿わせるようにして切込部が設けられた均熱シートと、を備え、この均熱シートの前記カバー体の上面側の部位が前記カバー体とともに前記基材の上面側に対して回動自在とされていることを特徴とする床暖房パネル。
【請求項２】
請求項１において、
前記基材の前記隅部には、前記基材の上面と前記カバー体の上面とが略面一となるように前記カバー体を受け入れるカバー凹部が設けられていることを特徴とする床暖房パネル。
【請求項３】
請求項１において、
前記基材の前記隅部には、前記カバー体の前記他方の側端部が当接される位置決め凸部が設けられていることを特徴とする床暖房パネル。
【発明の詳細な説明】
【技術分野】
【０００１】
本発明は、熱媒体管を備えた床暖房パネルに関する。
【背景技術】
【０００２】
従来の床暖房パネルは、熱媒体の流路となる熱媒体管を基材に配設し、均熱性を高める観点等から基材の上面側に均熱シートを設けた構造とされている。
このような熱媒体管を配設したいわゆる温水式床暖房パネルは、複数枚を縦横に並べるようにして床下地上に配設される。このような場合には、隣接する床暖房パネル同士の熱媒体を流通させるために、これらの熱媒体管同士を接続する必要がある。
このような場合において、熱媒体管同士の接続部位の上面側が均熱シートで覆われていれば、熱媒体管同士の接続がし難いという問題があった。例えば、熱媒体管同士の接続部位やその近傍部位の上面側に均熱シートを設けない構造とすることも考えられるが、その場合には、当該部位の均熱性が損なわれ、更なる改善が望まれていた。
【０００３】
例えば、下記特許文献１では、相隣接する床暖房パネルに収納された温水パイプ相互を温水パイプ口出し部でジョイントパイプにより接続した温水式床暖房装置が提案されている。
また、この床暖房装置は、基板の短辺角部を角形に切り欠いて上記温水パイプ口出し部を設けており、上記ジョイントパイプを含んでこの温水パイプ口出し部を覆うジョイントカバーを設けた構造とされている。
このジョイントカバーは、その裏面の四角にジョイントパイプを跨ぐように脚状の台座がそれぞれ設けられており、基板に切欠形成された温水パイプ口出し部に嵌め込まれる構造とされている。
【先行技術文献】
【特許文献】
【０００４】
【特許文献１】特開平９−１４５０７２号公報
【発明の概要】
【発明が解決しようとする課題】
【０００５】
しかしながら、上記特許文献１のような床暖房装置では、ジョイントカバーの裏面の四角に台座を設ける必要があり、カバー側の構造が複雑化するという問題があった。また、ジョイントパイプが配設される基板の温水パイプ口出し部の下面側は開放された状態であるため、当該部位において熱損失が大きくなることも考えられる。
【０００６】
本発明は、上記実情に鑑みてなされたものであり、均熱性を損なうことなく隣接する床暖房パネルの熱媒体管同士を接続する際における作業性を向上し得るとともに、構造の簡略化を図りながらも接続部位における熱損失を低減し得る床暖房パネルを提供することを目的とする。
【課題を解決するための手段】
【０００７】
上記目的を達成するために、本発明に係る床暖房パネルは、熱媒体の流路となる熱媒体管と、該熱媒体管が配設される配管用凹溝を上方側に向けて開口するように上面側に設けた略矩形平板状の基材と、を備えた床暖房パネルであって、前記基材の上面側の隅部には、隣接する床暖房パネルの熱媒体管同士を接続する接続部の収納凹所が前記配管用凹溝に連通するようにかつ上方側に向けて開口するように設けられており、この基材の隅部の両二辺に、隣り合う二側端部をそれぞれ沿わせるようにして、前記収納凹所を覆うとともに、残余の二側端部のうちの一方の側端部が前記基材の上面側に対して連結部材を介して回動自在に連結された略矩形平板状のカバー体と、該カバー体の上面を含んで前記基材の上面側を覆うとともに、前記カバー体の残余の二側端部のうちの他方の側端部に沿わせるようにして切込部が設けられた均熱シートと、を備え、この均熱シートの前記カバー体の上面側の部位が前記カバー体とともに前記基材の上面側に対して回動自在とされていることを特徴とする。
【０００８】
本発明においては、前記基材の前記隅部には、前記基材の上面と前記カバー体の上面とが略面一となるように前記カバー体を受け入れるカバー凹部が設けられていてもよい。
また、本発明においては、前記基材の前記隅部には、前記カバー体の前記他方の側端部が当接される位置決め凸部が設けられていてもよい。
【発明の効果】
【０００９】
本発明に係る床暖房パネルは、上述のような構成としたことで、均熱性を損なうことなく隣接する床暖房パネルの熱媒体管同士を接続する際における作業性を向上させることができるとともに、構造の簡略化を図りながらも接続部位における熱損失を低減することができる。
【図面の簡単な説明】
【００１０】
【図１】（ａ）〜（ｄ）は、本発明の一実施形態に係る床暖房パネルの一例を模式的に示し、（ａ）、（ｂ）は、それぞれ図２のＸ部に対応させた一部を省略した一部破断概略平面図、（ｃ）は、図１（ｂ）に対応させた一部破断概略正面図、（ｄ）は、図１（ｂ）に対応させた一部破断概略側面図である。
【図２】同床暖房パネルの一例を模式的に示す一部省略概略平面図である。
【図３】（ａ）は、図２におけるＡ―Ａ線矢視に対応させた一部破断概略縦断面図、（ｂ）は、（ａ）におけるＢ−Ｂ線矢視に対応させた一部破断概略縦断面図である。
【図４】（ａ）〜（ｄ）は、本発明の他の実施形態に係る床暖房パネルの一例をそれぞれ模式的に示し、それぞれ図１（ａ）〜（ｄ）に対応させた図である。
【発明を実施するための形態】
【００１１】
以下に本発明の実施の形態について、図面に基づいて説明する。
なお、一部の図では、他図に付している詳細な符号の一部を省略している。また、図１（ａ）及び図４（ａ）では、カバー体及び均熱シートの図示を省略し、図１（ｂ）、図２及び図４（ｂ）では、均熱シートの図示を省略している。
【００１２】
図１〜図３は、第１実施形態に係る床暖房パネルの一例を模式的に示す図である。
本実施形態に係る床暖房パネル１は、図２に示すように、熱媒体の流路となる熱媒体管２と、熱媒体管２が配設される配管用凹溝１１を設けた基材１０とを備えた構造とされている（図１（ａ），（ｂ）も参照）。また、基材１０の上面１０ａ側には、均熱シート２５が配設されている。
基材１０は、略矩形平板状とされている。図例では、一方向に長尺とされた基材１０を示している。基材１０は、断熱性を有する材料で形成されており、例えば、発泡ポリスチレン等の発泡樹脂材等から形成されたものとしてもよい。このように基材１０を、断熱性を有する材料で形成することで、当該床暖房パネル１と当該床暖房パネル１が設置される床下地材等との間における熱移動を抑制することができる。
なお、基材１０の厚さ寸法は、例えば、１０ｍｍ〜２０ｍｍ程度としてもよい。また、床暖房パネル１は、複数部分に分割された基材１０が連結されて一枚の床暖房パネル１として構成されたものとしてもよい（図２参照）。
【００１３】
配管用凹溝１１は、基材１０の上面１０ａにおいて上方側に向けて開口するように基材１０の上面１０ａ側に設けられている。
この配管用凹溝１１の基材１０の上面１０ａにおける経路パターンとしては、均熱性を向上させるために、図２に示すように、配管用凹溝１１を基材１０の上面１０ａの概ね全域に亘って蛇行するように設けるようにしてもよい。
また、配管用凹溝１１は、図例のように、断面視略Ｕ字状としてもよい（図３（ａ）参照）。
配管用凹溝１１の溝幅寸法は、熱媒体管２が配管用凹溝１１内に配設可能な寸法とされている。また、配管用凹溝１１の溝深さ寸法は、熱媒体管２が配管用凹溝１１内に配設された状態において、熱媒体管２と熱媒体管２の上方側に配設される均熱シート２５とが接するかまたは互いが近接する状態となるような寸法とされている。図例では、配管用凹溝１１の溝深さ寸法を、熱媒体管２とその上方側に配設された均熱シート２５とが近接した状態となるような寸法としている。
【００１４】
また、図例では、配管用凹溝１１に、熱媒体管２を収容する伝熱部材５を収容させるように設けた例を示している。
伝熱部材５は、熱伝導率の高い材料で形成されており、例えば、アルミニウム等の金属材料で形成されたものを用いてもよい。
この伝熱部材５は、配管用凹溝１１内に配設された状態において、熱媒体管２の外周面を下方側から覆う形状とされている。また、この伝熱部材５は、熱媒体管２の外周面の下側部分が接する形状とされている。
また、伝熱部材５は、基材１０の上面１０ａと均熱シート２５との間に挟まれるように保持される鍔部を有している。この鍔部の上面側に、鍔部の上面と密着するようにして均熱シート２５が配設される。
上記のような構成により、熱媒体が流通する熱媒体管２と均熱シート２５との伝熱性を向上させることができる。
【００１５】
また、図例では、配管用凹溝１１の底面に、熱媒体管２（伝熱部材５）を保持する突起部を設けた例を示している（図３参照）。
この突起部は、配管用凹溝１１の底面において上方側に突出するように形成されており、配管用凹溝１１の長手方向に所定の間隔を空けて複数設けられている。
このような突起部を設けることで、伝熱部材５に突起部が当接し、伝熱部材５と配管用凹溝１１底面（内面）との接触面積を小さくすることができる。従って、伝熱部材５（熱媒体管２）の下方側部位と基材１０との間における熱移動を抑制することができる。
【００１６】
熱媒体管２は、中空の管状体とされている。図例では、断面形状が円管状の熱媒体管２を示している（図３参照）。
熱媒体管２は、基材１０の上面１０ａ側に形成された配管用凹溝１１の経路パターンに合わせて配管用凹溝１１内に配設されやすいように可撓性を有したものとされている。また、熱媒体管２は、耐腐食性及び耐熱性を有した材料で形成するようにしてもよく、例えば、架橋ポリエチレン等の樹脂材等で形成されたパイプやチューブ等を採用してもよい。
熱媒体管２の径寸法は、例えば５ｍｍ〜１０ｍｍ程度としてもよい。
この熱媒体管２を流通させる熱媒体としては、例えば、液体、気体、蒸気等を用いるようにしてもよい。
熱媒体は、室外等に設けられた熱源機（不図示）によって加熱される。加熱された熱媒体は、熱媒体の循環装置によって、床暖房パネル１の熱媒体管２内に送り込まれ、接続された複数の床暖房パネル１内に配設された熱媒体管２内を流通し、これらの床暖房パネル１内を循環する構造とされている（図２の、二点鎖線矢印参照）。なお、熱媒体を液体とする場合には、熱媒体の循環装置としてポンプ等を採用するようにしてもよい。
【００１７】
また、基材１０の上面１０ａ側の隅部には、隣接する床暖房パネル１，１の熱媒体管２，２同士を接続する接続部３の収納凹所１２が設けられている（図１（ａ）も参照）。
収納凹所１２は、基材１０の上面１０ａにおいて上方側に開口するように基材１０の上面１０ａ側の隅部に設けられている。また、収納凹所１２は、配管用凹溝１１に連通するように形成されている。収納凹所１２の幅寸法や深さ寸法は、接続部３の収容が可能な寸法とすればよい。
図例では、平面視略矩形状とされた収納凹所１２を示している。また、図例では、基材１０の対角線上の二つの隅部に、収納凹所１２をそれぞれに設けた例を示している。また、図例では、一方の隅部（図示右下）に、二本の配管用凹溝１１，１１にそれぞれ配設された送媒側及び返媒側の熱媒体管２，２同士を接続する接続部３，３をそれぞれに収納する二つの収納凹所１２，１２を設けた例を示している。また、他方の隅部（図示左上）に、上記した各接続部３，３を収納する単一の収納凹所１２を設けた例を示している。
【００１８】
床暖房パネル１は、複数枚が床下地上に縦横方向に隣接するように敷設される。隣接する床暖房パネル１，１の熱媒体管２，２同士を接続する接続部３としては、ワンタッチカプラー等のカプラー（管継手部材）を採用するようにしてもよい。このような接続部３によって隣接する床暖房パネル１，１の送媒側の熱媒体管２，２同士、返媒側の熱媒体管２，２同士が接続され、隣接する床暖房パネル１，１の各熱媒体管２，２内を熱媒体が循環、流通する構造とされている。
なお、床暖房パネル１の基材１０の上面１０ａ側には、床暖房に対応した床仕上材が配設される。また、床暖房パネル１の適所に、床仕上材を固定するための小根太を設け、この小根太に、床仕上材を固定するようにしてもよい。
【００１９】
また、床暖房パネル１は、基材１０の上面１０ａ側に形成された収納凹所１２を覆うカバー体２０を備えている（図１も参照）。なお、以下では、基材１０の一方の隅部（図２における右下隅部）の収納凹所１２を覆うカバー体２０について説明し、他方の隅部（図２における左上隅部）の収納凹所１２を覆うカバー体２０については概ね同様の構成であるので、その説明を省略する。
カバー体２０は、図１（ｂ）〜（ｄ）に示すように、略矩形平板状とされている。
このカバー体２０は、隣り合う二側端部２１，２２を、基材１０の隅部（一方の隅部）の両二辺１５，１６にそれぞれ沿わせるようにして、収納凹所１２を覆う構造とされている。つまり、カバー体２０のこれら隣り合う二側端部が基材１０の隅部（一方の隅部）の両二辺１５，１６にそれぞれ沿わせられる基材辺部側端部２１，２２となる。
【００２０】
また、カバー体２０は、このカバー体２０の残余の二側端部２３，２４のうちの一方の側端部２３が基材１０の上面１０ａ側に回動自在に保持されている。この残余の二側端部２３，２４のうちの一方の側端部が回動側端部２３となり、この回動側端部２３を回動支点として、カバー体２０が基材１０に対して回動自在とされている。
本実施形態では、この回動側端部２３を、連結部材４を介して、基材１０の上面１０ａ側に回動自在に連結している。図例では、連結部材４として、薄平板状のシート状部材を用いた例を示している。このような連結部材４としては、カバー体２０の回動側端部２３の上面と基材１０の上面１０ａとに跨るようにして貼着される粘着テープ等を採用するようにしてもよい。このように、連結部材４をシート状部材とすることで、例えば、蝶番等を連結部材とした場合と比べて、薄型化を図ることができる。
なお、カバー体２０は、例えば、ＰＥＴ（ポリエチレンテレフタレート）樹脂等で形成された樹脂板や金属板等としてもよい。また、カバー体２０の厚さ寸法は、０．１ｍｍ〜１ｍｍ程度としてもよい。
【００２１】
均熱シート２５は、このカバー体２０の上面２０ａを含んで基材１０の上面１０ａ側を覆うように設けられている（図３参照）。
この均熱シート２５は、薄いシート状（フィルム状）とされ、熱伝導率の高い材料で形成されており、例えば、アルミニウム等の金属材料で形成されたものを用いてもよい。この均熱シート２５は、カバー体２０の上面２０ａの全面及びこのカバー体２０の上面２０ａを除いた基材１０の上面１０ａの全面に亘って、接着剤等によって貼着されている。
この均熱シート２５に、伝熱部材５が当接し、熱媒体管２が当接または近接配置されることで、均熱性が向上される。
【００２２】
また、この均熱シート２５には、図１（ｃ）、（ｄ）に示すように、カバー体２０の残余の二側端部２３，２４のうちの他方の側端部（切込側端部）２４に沿わせるようにして切込部２６が設けられている。
このように切込部２６を設けた均熱シート２５は、そのカバー体２０の上面２０ａ側の部位（カバー体上面側部位）２５ａがカバー体２０とともに回動自在な構造とされている。つまり、均熱シート２５のカバー体上面側部位２５ａは、カバー体２０の回動側端部２３を回動支点としてカバー体２０とともに基材１０に対して回動自在とされている。
なお、均熱シート２５の切込部２６は、例えば、以下のようにして形成するようにしてもよい。カバー体２０を基材１０に配設した後、この上面２０ａを含んで基材１０の上面１０ａ側に均熱シート２５を貼着する。そして、適宜の切断手段等によってカバー体２０の切込側端部２４に沿って均熱シート２５を切り込むように切断することで切込部２６を形成するようにしてもよい。また、このように均熱シート２５を貼着した後に、切込部２６を形成する態様に代えて、カバー体２０の切込側端部２４の位置に対応させて均熱シート２５に予め切込部２６を形成する態様としてもよい。
【００２３】
また、本実施形態では、図１（ａ）、（ｃ）、（ｄ）に示すように、基材１０の隅部に、カバー体２０を受け入れるカバー凹部１３を設けている。
このカバー凹部１３は、カバー体２０に対応させて形成されており、カバー体２０と略同寸同形状とされている。つまり、カバー体２０を閉覆状態としてカバー体２０がカバー凹部１３に受け入れられた状態では、基材１０の上面１０ａとカバー体２０の上面２０ａとが略面一となる構造とされている。
このカバー凹部１３は、上方及び基材１０の両二辺１５，１６側に向けて開口する形状とされ、基材１０の上面１０ａと略平行な底面１３ａ及びこの底面１３ａに略直交する二つの内壁面１３ｂ，１３ｃによって区画されている。カバー体２０がカバー凹部１３に受け入れられた状態では、カバー体２０の回動側端部２３の端面が、カバー凹部１３の一方の内壁面１３ｃに当接される。また、カバー体２０がカバー凹部１３に受け入れられた状態では、カバー体２０の切込側端部２４の端面が、カバー凹部１３の内壁面１３ｂに当接される。
なお、このカバー凹部１３の深さ寸法（カバー体２０の厚さ寸法）は、カバー凹部１３の底面１３ａ側に形成された配管用凹溝１１及び収納凹所１２に収納された熱媒体管２や接続部３に、カバー体２０が干渉しないように適宜、設定するようにしてもよい。
【００２４】
上記構成とされた本実施形態に係る床暖房パネル１によれば、均熱性を損なうことなく隣接する床暖房パネル１，１の熱媒体管２，２同士を接続する際における作業性を向上させることができるとともに、構造の簡略化を図りながらも接続部位における熱損失を低減することができる。
つまり、隣接する床暖房パネル１，１の熱媒体管２，２同士を接続する接続部３の収納凹所１２を覆うカバー体２０の上面２０ａに均熱シート２５を設けているので、当該部位において均熱性を損なうことがない。
また、このカバー体２０は、基材１０の上面１０ａ側に回動自在に保持され、その上面１０ａ側の均熱シート２５に形成された切込部２６により、当該カバー体２０の上面２０ａ側の均熱シート２５とともに回動自在とされている。従って、このカバー体２０を回動させて収納凹所１２を開放させることで、隣接する床暖房パネル１，１の熱媒体管２，２同士の接続を容易に行え、これらを接続する際における作業性を向上させることができる。
また、このカバー体２０は、一方の側端部（回動側端部）２３が基材１０の上面１０ａ側に回動自在に保持された略矩形平板状とされているので、カバー体２０自体の構造の簡略化を図ることができる。
また、このカバー体２０によって覆われる収納凹所１２は、基材１０の上面１０ａ側の隅部に設けられているので、隣接する床暖房パネル１，１の熱媒体管２，２同士を接続する接続部３の下方側にも基材１０が存在することとなり、当該部位における熱損失を低減することができる。
【００２５】
また、本実施形態では、基材１０の隅部に、基材１０の上面１０ａとカバー体２０の上面２０ａとが略面一となるようにカバー体２０を受け入れるカバー凹部１３を設けている。
従って、カバー体２０を閉覆状態とすれば、このカバー体２０の上面２０ａが基材１０の上面１０ａと略面一となり、カバー体２０を設けたことに起因する当該床暖房パネル１の上面（均熱シート２５の上面）側の段差を略なくすことができる。
また、カバー体２０を閉覆させる際に、このカバー体２０の切込側端部２４の端面を、カバー凹部１３の対応する内壁面１３ｂに当接させるようにして閉覆させることで、基材１０に対するカバー体２０の位置決めを容易に行うことができる。また、これにより、均熱シート２５を貼着する際やカバー体２０を閉覆する際等におけるカバー体２０の隣り合う二側端部２１，２２と基材１０の隅部の両二辺１５，１６との位置ずれを抑制することができる。また、このカバー凹部１３の内壁面１３ｂによって、閉覆状態としたカバー体２０の切込側端部２４側への移動を規制することができる。
【００２６】
次に、本発明に係る他の実施の形態について、図面を参照しながら説明する。
図４は、第２実施形態に係る床暖房パネルの一例を模式的に示す図である。
なお、上記第１実施形態との相違点について主に説明し、同様の構成については、同一符号を付し、その説明を省略または簡略に説明する。
【００２７】
本実施形態に係る床暖房パネル１Ａは、図４に示すように、その基材１０Ａの隅部に、上記第１実施形態において説明したカバー凹部１３に代えて、カバー体２０の切込側端部２４が当接される位置決め凸部１４を設けている。
この位置決め凸部１４は、図４に示すように、基材１０Ａの上面１０Ａａから上方に向けて突出するように設けられている。
この位置決め凸部１４は、カバー体２０が閉覆状態とされた際に、カバー体２０の切込側端部２４の端面が、当該位置決め凸部１４の一側面１４ａに当接するように、基材１０Ａの上面１０Ａａ側に設けられている。
図例では、カバー体２０の切込側端部２４の長手方向の略全長に亘って一体的に形成された細長凸条の位置決め凸部１４を示している。
なお、この位置決め凸部１４の基材１０Ａの上面１０Ａａからの突出寸法は、カバー体２０の厚さ寸法と略同寸法としてもよく、またはそれよりも小さい寸法としてもよく、例えば、０．１〜１ｍｍ程度としてもよい。また、位置決め凸部１４としては、図例のような細長凸条とされたものに限られず、例えば、適宜の間隔を隔てて設けられた複数の突起部からなる位置決め凸部１４としてもよい。
【００２８】
上記構成とされた本実施形態に係る床暖房パネル１Ａによっても、上記した第１実施形態と概ね同様の効果を奏する。
つまり、本実施形態では、基材１０Ａの隅部に、カバー体２０の切込側端部２４が当接される位置決め凸部１４を設けている。従って、上記第１実施形態と同様、カバー体２０を閉覆させる際に、基材１０Ａに対するカバー体２０の位置決めを容易に行うことができる。また、これにより、上記第１実施形態と同様、均熱シート２５を貼着する際やカバー体２０を閉覆する際等におけるカバー体２０の隣り合う二側端部２１，２２と基材１０Ａの隅部の両二辺１５，１６との位置ずれを抑制することができる。また、この位置決め凸部１４によって、閉覆状態としたカバー体２０の切込側端部２４側への移動を規制することができる。
【００２９】
なお、上記第１実施形態では、カバー凹部１３を設け、第２実施形態では、位置決め凸部１４を基材１０（１０Ａ）の隅部に設けた例を示しているが、このような態様に限定されない。カバー凹部１３及び位置決め凸部１４の両方を、基材１０（１０Ａ）の隅部に設ける態様としてもよく、さらには、このようなカバー凹部１３及び位置決め凸部１４を設けないようにしてもよい。
また、上記した例では、基材１０（１０Ａ）の対角線上の二つの隅部に、接続部３の収納凹所１２をそれぞれに設け、各収納凹所１２を覆うカバー体２０をそれぞれに設けた例を示しているが、このような態様に限られない。例えば、他方の隅部（図２における左上隅部）に接続部３の収納凹所１２を設ける態様に代えて、熱媒体管２の床下からの引き込み経路（床下への送り出し経路）となる配管孔を設け、この配管孔やその接続部等を覆うカバー体２０を設けた態様としてもよい。また、基材１０（１０Ａ）の三つの隅部や四隅部に、接続部３の収納凹所１２をそれぞれに設け、各収納凹所１２を覆うカバー体２０をそれぞれに設けた態様としてもよい。
【符号の説明】
【００３０】
１，１Ａ          床暖房パネル
２                熱媒体管
３                接続部
１０，１０Ａ      基材
１０ａ，１０Ａａ  上面
１１              配管用凹溝
１２              収納凹所
１３              カバー凹部
１４              位置決め凸部
１５，１６        隅部の二辺
２０              カバー体
２０ａ            上面
２１，２２        基材辺部側端部（側端部）
２３              回動側端部（側端部）
２４              切込側端部（側端部）
２５              均熱シート
２５ａ            カバー体上面側部位（カバー体の上面側の部位）
２６              切込部
【図１】
0005877341.tif 000002
【図２】
0005877341.tif 000003
【図３】
0005877341.tif 000004
【図４】
0005877341.tif 000005